(57)【要約】【課題】木質チップ、椰子殻、ロックウールなどの培地素材をスラブ状にした養液栽培用培地を用いた水耕栽培において、水はけ良好な栽培環境を提供する。【解決手段】載置台１は、培地２を載置する載置面１１を上面とする発泡スチロール製の基台１０からなる。載置面１１は、基台１０の上面の中央部から前方及び後方のそれぞれに向かって下り傾斜となる屋根状の傾斜面で構成される。基台１０には、載置面１１から凹入する様に、長手方向１００ｍｍ間隔で、多数の養液養液排出溝１２，１２，…が形成されている。各養液排出溝１２は、それぞれの溝底１２ａが、基台１０の後端側から前端側に向かって下り傾斜となる様に形成され、後端は基台１０の後端角部１０ａと溝底１２ａとをつなぐ傾斜面１２ｂで塞がれ、前端には、より勾配の大きい下り傾斜の前面溝１３が基台１０の前面側から凹入する様に連続して形成されている。【選択図】  図１
2014090696.tif 000002
【特許請求の範囲】
【請求項１】
スラブ状の養液栽培用培地を載置する載置面を上面とする発泡スチロール製の基台の前後方向に伸びる養液排出溝を適宜間隔で長手方向の複数箇所に形成した載置台であって、以下の構成を備えていることを特徴とする養液栽培用培地の載置台。
（１）前記載置面は、中央部から前方及び後方のそれぞれに向かって下り傾斜となる屋根状の傾斜面で構成されていること。
（２）前記養液排出溝は、前記載置面に載置されるスラブ状の養液栽培用培地の後端面よりも後方位置から前端面よりも前方位置まで達し、その溝底が後方から前方に向かって下り傾斜となる様に基台の上面からの凹入部として形成されていること。
【請求項２】
さらに、以下の構成をも備えたことを特徴とする請求項１記載の養液栽培用培地の載置台。
（３）前記基台は、前記載置面からの凹入部として、その溝底がほぼ水平で長手方向に伸び、両端が開放されたパイプ敷設溝を備えていること。
（４）前記養液排出溝は、その溝底が、前記パイプ敷設溝と交差する位置では当該パイプ敷設溝の溝底よりも下側となる様に、前記パイプ敷設溝を部分的に分断する様に形成されていること。
【請求項３】
さらに、以下の構成をも備えたことを特徴とする請求項１又は２記載の養液栽培用培地の載置台。
（５）前記基台の底面には、底面からの凹入部として、長手方向に沿って上面がほぼ水平となり、両端が開放されていて、前後方向に離して少なくとも二条形成されたパイプ嵌合溝が備えられていること。
【請求項４】
さらに、以下の構成をも備えたことを特徴とする請求項１〜３のいずれか記載の養液栽培用培地の載置台。
（６）前記基台の底面の中央部を長手方向に沿って伸び、両端が開放されると共に、長手方向所定位置で前面又は後面に開放する前後方向開口を有する中央凹入部を備えていること。
【請求項５】
さらに、以下の構成をも備えたことを特徴とする請求項１〜４のいずれか記載の養液栽培用培地の載置台。
（７）前記基台の前面には、前記養液排出溝のそれぞれの前端と連続し、養液排出溝よりも大きな勾配で下り傾斜させ、底面まで開通させた前面溝が形成されていること。
【請求項６】
さらに、以下の構成をも備えたことを特徴とする請求項１〜５のいずれか記載の養液栽培用培地の載置台。
（８）前記基台の前面側に、上面から底面まで貫通する貫通孔を備えさせること。
【請求項７】
さらに、以下の構成をも備えたことを特徴とする請求項１〜６のいずれか記載の養液栽培用培地の載置台。
（９）前記基台の長手方向の一端には載置面と上面が一致し、下向き開口となる前後方向溝を備えた第１の連結突起が形成されると共に、他端には前記第１の連結突起の前後方向溝に嵌り込む高さまで突設された上向き突条を備えた第２の連結突起が形成されていること。
【発明の詳細な説明】
【技術分野】
【０００１】
本発明は、木質チップ、椰子殻、ロックウールなどをスラブ状にした養液栽培用培地の載置台に関する。
【背景技術】
【０００２】
従来より、ロックウールスラブなどの養液栽培用培地を用いた水耕栽培方法が知られている（例えば、特許文献１，２）。
【０００３】
特許文献１は、図５（Ａ）に示す様に、育苗用ポットを嵌入させた養液栽培用培地を発泡スチロール製の載置台に載せ、この載置台の中央に冷暖用パイプを敷設して温度調節を行えるようにしてある。
【０００４】
特許文献２は、図５（Ｂ）に示す様に、発泡スチロール製の載置台の底面に形成された受溝にベッド受承パイプを嵌合させて架台上に支持する方法を提案している。
【先行技術文献】
【特許文献】
【０００５】
【特許文献１】特開平６−２１７６５５（図３）
【特許文献２】実公平７−３３６３８（図２）
【発明の概要】
【発明が解決しようとする課題】
【０００６】
特許文献１は、地面に設置する方法のため風通しが悪いという問題がある。これに対し、特許文献２は、パイプ架台上に培地を載せることで風通しはよいものの、培地から流出した養液が載置台上に滞留してしまうという問題がある。
【０００７】
培地からの流出液の排出に関しては、特許文献１は載置台の上面を傾斜させて水はけを改善しているが、載置台上面を傾斜させたことで培地が滑り落ちない様、載置台を断面受け皿状としている。この結果、培地からの流出液は載置台の傾斜面の下方に滞留することとなり、水はけの改善は十分とはいえない。
【０００８】
そこで、本発明は、（Ａ）木質チップ、椰子殻、ロックウールなどの培地素材をスラブ状にした養液栽培用培地を用いた水耕栽培において、水はけ良好な載置台を提供することを主目的とし、さらに、（Ｂ）温度調節のためのパイプの敷設が容易な載置台を提供すること、（Ｃ）パイプ架台等への設置も容易な載置台を提供すること、（Ｄ）灌水のためのパイプの設置が容易な載置台を提供すること、をさらなる目的とする。
【課題を解決するための手段】
【０００９】
上記（Ａ）の目的を達成するためになされた本発明の養液栽培用培地の載置台は、スラブ状の養液栽培用培地を載置する載置面を上面とする発泡スチロール製の基台の前後方向に伸びる養液排出溝を適宜間隔で長手方向の複数箇所に形成した載置台であって、以下の構成を備えていることを特徴とする。
（１）前記載置面は、中央部から前方及び後方のそれぞれに向かって下り傾斜となる屋根状の傾斜面で構成されていること。
（２）前記養液排出溝は、前記載置面に載置されるスラブ状の養液栽培用培地の後端面よりも後方位置から前端面よりも前方位置まで達し、その溝底が後方から前方に向かって下り傾斜となる様に基台の上面からの凹入部として形成されていること。
【００１０】
本発明の養液栽培用培地の載置台によれば、載置面を屋根状としたので、スラブ状の養液栽培用培地の中心が屋根の頂上部分に位置する様に載置することにより、スラブ状の養液栽培用培地を滑ることなく載置することができる。そして、スラブ状培地を包んでいる被覆シートの後端面及び前端面を養液排出溝の位置で切り裂いて養液の流出口を形成してやれば、培地から流出する養液は、養液排出溝へと落ち込む。このとき、後端面から落ちた養液も前端面から落ちた養液も基台の前方へと排出される。また、被覆シートの切り裂かれていない部分は載置面の傾斜によって前端側又は後端側に下がっているので、培地内の余分な養液は、被覆シートの内部で前端側又は後端側に流れ、切り裂いた部分へと集まり、養液排出溝へと流出する。この結果、本発明によれば、スラブ状培地を水はけ良好な状態で基台から滑り落ちることなく載置でき、養液が意図せぬ場所へと流出してしまうこともない。なお、屋根状の載置面は直線的なテーパ面に限られず、湾曲面によって構成されていてもよい。
【００１１】
ここで、本発明の養液栽培用培地の載置台は、さらに、以下の構成をも備えることにより、上記（Ａ）に加えて（Ｂ）の目的をも達成することができる。
（３）前記基台は、前記載置面からの凹入部として、その溝底がほぼ水平で長手方向に伸び、両端が開放されたパイプ敷設溝を備えていること。
（４）前記養液排出溝は、その溝底が、前記パイプ敷設溝と交差する位置では当該パイプ敷設溝の溝底よりも下側となる様に、前記パイプ敷設溝を部分的に分断する様に形成されていること。
【００１２】
（１），（２）の構成に加えて、（３），（４）の構成をも備えることで、本発明の養液栽培用培地の載置台は、スラブ状培地の下にパイプを敷設することができる。この結果、当該パイプに温水又は冷水を流すことにより、加温・冷却といった培地の温度調節をすることができる。このとき、養液排出用溝はパイプ敷設溝との交差位置の溝底が下方に位置するので、パイプの敷設によって養液の排出が妨げられることもない。
【００１３】
また、これら本発明の養液栽培用培地の載置台は、さらに、以下の構成をも備えることにより、上記（Ａ）に加えて（Ｃ）の目的をも達成することができる。
（５）前記基台の底面には、底面からの凹入部として、長手方向に沿って上面がほぼ水平となり、両端が開放されていて、前後方向に離して少なくとも二条形成されたパイプ嵌合溝が備えられていること。
【００１４】
（５）の構成をも備えることにより、基台の底面側の凹入部に架台上部の支持パイプを嵌め込むことにより、地面から上がった位置に載置台を設置し、風通しのよい環境で栽培を行うことができる。
【００１５】
さらに、これら本発明の養液栽培用培地の載置台は、さらに、以下の構成をも備えることにより、上記（Ａ）に加えて（Ｄ）の目的をも達成することができる。
（６）前記基台の底面の中央部を長手方向に沿って伸び、両端が開放されると共に、長手方向所定位置で前面又は後面に開放する前後方向開口を有する中央凹入部を備えていること。
【００１６】
（６）の構成をも備えることにより、中央凹入部にＣＯ２供給用のダクトなどを収納したり、灌水用パイプを敷設することができる。灌水用パイプを敷設する場合、前後方向開口から灌水チューブを引き出し、上方に持ち上げて灌水を行うことができる。こうして灌水した養液は、余分な分はスラブ状培地内を前後方向へ流れ、養液排出溝に落ち込んで基台の前方へと排出される。
【００１７】
なお、これら本発明の養液栽培用培地の載置台は、さらに、以下の構成をも備えるとよい。
（７）前記基台の前面には、前記養液排出溝のそれぞれの前端と連続し、養液排出溝よりも大きな勾配で下り傾斜させ、底面まで開通させた前面溝が形成されていること。
【００１８】
この（７）の構成をも備えることにより、養液排出溝によって前方へと導かれた養液は、前面溝に沿って基台の前側で下方へと落下する。この落下位置に樋などを設置することにより、余分な養液を排液タンク等へと移動させることができる。
【００１９】
また、これら本発明の養液栽培用培地の載置台は、さらに、以下の構成をも備えるとよい。
（８）前記基台の前面側に、上面から底面まで貫通する貫通孔を備えさせること。
【００２０】
試運転時に灌水動作が正常に行われているか否かを確認する際、この貫通孔に灌水用チューブの先端を差し込む様にする。この貫通孔は養液排出溝の養液排出側である前面側に設けてあるので、灌水用チューブから吐出された養液は排出液を集合させる樋へと流し込むことができ、試運転の際に圃場内を水浸しにすることがない。
【００２１】
加えて、これら本発明の養液栽培用培地の載置台は、さらに、以下の構成をも備えるとよい。
（９）前記基台の長手方向の一端には載置面と上面が一致し、下向き開口となる前後方向溝を備えた第１の連結突起が形成されると共に、他端には前記第１の連結突起の前後方向溝に嵌り込む高さまで突設された上向き突条を備えた第２の連結突起が形成されていること。
【００２２】
本発明の載置台を複数準備し、互いに第１の連結突起と第２の連結突起とを嵌め合う様にすることで、長手方向の長さを圃場に合わせたものとすることができる。
【発明の効果】
【００２３】
本発明によれば、木質チップ、椰子殻、ロックウールなどの培地素材をスラブ状にした養液栽培用培地を用いた水耕栽培において、水はけ良好な栽培環境を提供することができる。
【図面の簡単な説明】
【００２４】
【図１】実施例１の養液栽培用培地の載置台を示し、（Ａ）は架台を使用する場合の断面図、（Ｂ）は架台を使用しない場合の断面図である。
【図２】実施例１の養液栽培用培地の載置台を示し、（Ａ）は平面図、（Ｂ）は正面図、（Ｃ）はａ−ａ断面図、（Ｄ）はｂ−ｂ断面図、（Ｅ）はｃ−ｃ断面図である。
【図３】実施例１の養液栽培用培地の載置台を示し、（Ａ）は平面図、（Ｂ）は正面図、（Ｃ）は背面図、（Ｄ）は底面図、（Ｅ）は左側面図、（Ｆ）は右側面図である。
【図４】実施例１の養液栽培用培地の載置台を示し、（Ａ）は正面図、（Ｂ）は背面図である。
【図５】従来技術の説明図である。
【発明を実施するための形態】
【００２５】
以下に、本発明の養液栽培用培地の載置台の実施形態を実施例に基づいて説明する。
【実施例１】
【００２６】
養液栽培用培地の載置台１は、図１〜図４に示す様に、スラブ状の養液栽培用培地２を載置する載置面１１を上面とする発泡スチロール製の基台１０からなる。載置面１１は、この基台１０の上面の中央部から前方及び後方のそれぞれに向かって下り傾斜となる屋根状の傾斜面で構成されている。なお、図４において、符号３は、スラブ状培地２の上に適宜間隔にて載置されるブロック状培地であって、ここに苗が植え付けられる。
【００２７】
また、基台１０には、載置面１１から凹入する様に、長手方向１００ｍｍ間隔で、多数の養液養液排出溝１２，１２，…が形成されている。これら各養液排出溝１２は、それぞれの溝底１２ａが、基台１０の後端側から前端側に向かって下り傾斜となる様に形成されている。また、各養液排出溝１２の後端は、基台１０の後端角部１０ａと溝底１２ａとをつなぐ傾斜面１２ｂで塞がれている。一方、各養液排出溝１２の前端には、より勾配の大きい下り傾斜の前面溝１３が基台１０の前面側から凹入する様に連続して形成されている。
【００２８】
さらに、基台１０には、載置面１１から凹入する様に、前端から約１／４後方側の位置にその溝底２１ａがほぼ水平で長手方向に伸び、両端が開放された第１のパイプ敷設溝２１が形成されると共に、同様に、後端から約１／４前方側の位置にその溝底２２ａがほぼ水平で長手方向に伸び、両端が開放された第２のパイプ敷設溝２２が形成されている。
【００２９】
これら第１，第２のパイプ敷設溝２１，２２は、養液排出溝１２，１２，…によって部分的に分断されている。即ち、養液排出溝１２，１２，…は、それぞれの溝底１２ａが、パイプ敷設溝２１，２２と交差する位置では当該パイプ敷設溝２１，２２の溝底２１ａ，２２ａよりも下側となる様に深く凹入しているのである。なお、パイプ敷設溝２１，２２は、図１（Ａ），（Ｂ）に示す様に、培地２の底面に接するか接しないか程度にパイプ９１，９２を敷設することができる深さのＵ溝となっている。また、養液排出溝１２及び前面溝１３は、それぞれ底１２ａ，１３ａがＶ字となっている。
【００３０】
基台１０の底面は、前端から約１／４の位置を中心とする直方体状の前側脚部３１と、後端を基台１０の後端と面一とする直方体状の後側脚部３２とが、互いに２００ｍｍの間隔をあけて備えられている。また、前側脚部３１と後側脚部３２の間には約７５ｍｍの間隔がとられている。この結果、前側脚部３１と後側脚部３２の間に長手方向に開通した中央凹入部４１が形成された状態となっている。また、この中央凹入部４１の前面側及び後面側は、脚部の設置間隔に対応する長さの開放部４２，４３となっている。
【００３１】
前側脚部３１の底面は前後方向中央に上方に向かって凹入する前側脚部底面溝３１ａが形成されている。同じく、後側脚部３２の底面も前後方向中央に上方に向かって凹入する後側脚部底面溝３２ａが形成されている。これら前側脚部底面溝３１ａ及び後側脚部底面溝３２ａの上面高さは全て同じとなっている。これによって基台１０の底面に、前後方向に離して長手方向に伸びる二条のパイプ嵌合溝が形成された状態となっている。
【００３２】
また、基台１０の前面側に、養液排出溝１２同士の中間になる長手方向位置に、前面溝１３の後端と後端がほぼ一致する貫通孔５１，５１，…が、上面から底面まで貫通する様に形成されている。
【００３３】
さらに、基台１０の長手方向の一端には載置面１１と上面が一致し、下向き開口となる前後方向溝６１ａを備えた第１の連結突起６１が形成されると共に、他端には第１の連結突起６１の前後方向溝６１ａに嵌り込む高さまで突設された上向き突条６２ａを備えた第２の連結突起６２が形成されている。この連結突起６１の前後方向溝６１ａは養液排出溝１２とほぼ同じ傾斜を有する溝となっている。
【００３４】
この載置台１は、複数個を準備し、互いに第１の連結突起６１と第２の連結突起６２とを嵌め合う様にすることで、長手方向の長さを圃場に合わせたものとすることができる。
【００３５】
養液栽培用培地の載置台１は、図１（Ａ）に示す様に、前側脚部底面溝３１ａ及び後側脚部底面溝３２ａに嵌合する間隔の支持パイプ７１，７２を備えた架台７０を用いることにより、地面から高さをあけて位置で風通しのよい環境にして栽培を行うことができる。また、図１（Ｂ）に示す様に、地面に設置する場合は、後側脚部底面溝３２ａに灌水用パイプ８０を通し、例えば後方の開放部４３を経由して上方に灌水チューブを引き出して灌水を行う様に構成することもできる。また、中央凹入部４１には、ＣＯ２供給用のダクトなどを収納することもできるし、この部分に灌水用パイプ８０を敷設することもできる。
【００３６】
培地２は、その前後方向中央を、載置面１１の前後方向中央と中央と一致させる様に載置面１１の上に載置して用いる。この際、第１，第２のパイプ敷設溝２１，２２には、温水又は冷水を循環させる温度調節用パイプ９１，９２を敷設することができる。この温度調節用パイプ９１，９２は、パイプ上面が載置面１１とほぼ面一となる様に敷設できるから、培地２の温度調節を的確に実行することができる。
【００３７】
培地２としては、木質チップ、椰子殻、ロックウールなどをスラブ状にし、被覆シートを外側に巻いたものを用いるとよい。このスラブ状の培地２は、載置面１１を屋根状としたので、被覆シートが巻いてあっても、前後方向の重量バランスが取れていて滑り落ちることはない。そして、スラブ状培地を包んでいる被覆シートの後端面及び前端面を養液排出溝１２，１２，…の位置（図４の▼印の位置）で切り裂いて養液の流出口を形成してやれば、培地２から流出する養液は、養液排出溝１２へと落ち込む。このとき、培地２の後端面から落ちた養液も前端面から落ちた養液も基台１０の前方へと排出される。また、被覆シートの切り裂かれていない部分は載置面の傾斜によって前端側又は後端側に下がっているので、培地内の余分な養液は、被覆シートの内部で前端側又は後端側に流れ、切り裂いた部分へと集まり、養液排出溝１２，１２，…へと流出する。この結果、実施例の載置台１によれば、スラブ状培地２を水はけ良好な状態で基台１０から滑り落ちることなく載置でき、養液が意図せぬ場所へと流出してしまうこともない。
【００３８】
また、図１（Ａ），（Ｂ）に示す様に、基台１０の前側脚部３１の直前辺りに長手方向に沿う様に樋１００を設置することにより、前面溝１３から流れ出す余分な養液を排液タンク等へと移動させることができる。
【００３９】
さらに、基台１０の前面側に貫通孔５１，５１，…を設けたので、図１（Ｂ）に示す様に、この貫通孔５１に灌水用チューブの先端を差し込む様にして、試運転の際に灌水用チューブから吐出された養液を樋１００へと流し込むことができ、試運転の際に圃場内を水浸しにすることもない。
【００４０】
以上説明した様に、本実施例によれば、（Ａ）木質チップ、椰子殻、ロックウールなどの培地素材をスラブ状にした養液栽培用培地を用いた水耕栽培において、水はけ良好な載置台を提供することができると共に、（Ｂ）温度調節のためのパイプの敷設が容易な載置台を提供すること、（Ｃ）パイプ架台等への設置も容易な載置台を提供すること、及び（Ｄ）灌水のためのパイプの設置が容易な載置台を提供することができる。
【００４１】
以上、本発明の一実施例について説明したが、本発明はこの実施例に限られるものではなく、その要旨を逸脱しない範囲内においてさらに種々の形態を採用することができることはもちろんである。
【産業上の利用可能性】
【００４２】
水耕栽培においてスラブ状培地の載置台として用いることができる。
【符号の説明】
【００４３】
１・・・載置台、２・・・スラブ状培地、１０・・・基台、１１・・・載置面、１２・・・養液養液排出溝、１３・・・前面溝、２１・・・第１のパイプ敷設溝、２２・・・第２のパイプ敷設溝、３１・・・前側脚部、３１ａ・・・前側脚部底面溝、３２・・・後側脚部、３２ａ・・・後側脚部底面溝、４１・・・中央凹入部、４２，４３・・・開放部、５１・・・貫通孔、６１・・・第１の連結突起、６１ａ・・・前後方向溝、６２・・・第２の連結突起、６２ａ・・・上向き突条、７０・・・架台、７１，７２・・・支持パイプ、８０・・・灌水用パイプ、９１，９２・・・温度調節用パイプ、１００・・・樋。
【図１】
2014090696.tif 000003
【図２】
2014090696.tif 000004
【図３】
2014090696.tif 000005
【図４】
2014090696.tif 000006
【図５】
2014090696.tif 000007
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
スラブ状の養液栽培用培地を載置する載置面を上面とする発泡スチロール製の本体の前後方向に伸びる養液排出溝を適宜間隔で長手方向の複数箇所に形成した載置台であって、以下の構成を備えていることを特徴とする養液栽培用培地の載置台。
（１）前記載置面は、中央部から前方及び後方のそれぞれに向かって下り傾斜となる屋根状の傾斜面で構成されていること。
（２）前記養液排出溝は、前記載置面の後端部から前端部まで達し、その溝底が後方から前方に向かって下り傾斜となる様に前記本体の上面からの凹入部として形成されていること。
【請求項２】
さらに、以下の構成をも備えたことを特徴とする請求項１記載の養液栽培用培地の載置台。
（３）前記本体は、前記載置面からの凹入部として、その溝底がほぼ水平で長手方向に伸び、両端が開放されたパイプ敷設溝を備えていること。
（４）前記養液排出溝は、その溝底が、前記パイプ敷設溝と交差する位置では当該パイプ敷設溝の溝底よりも下側となる様に、前記パイプ敷設溝を部分的に分断する様に形成されていること。
【請求項３】
さらに、以下の構成をも備えたことを特徴とする請求項１又は２記載の養液栽培用培地の載置台。
（５）前記本体の底面には、底面からの凹入部として、長手方向に沿って上面がほぼ水平となり、両端が開放されていて、前後方向に離して少なくとも二条形成されたパイプ嵌合溝が備えられていること。
【請求項４】
さらに、以下の構成をも備えたことを特徴とする請求項１〜３のいずれか記載の養液栽培用培地の載置台。
（６）前記本体の底面の中央部を長手方向に沿って伸び、両端が開放されると共に、長手方向所定位置で前面又は後面に開放する前後方向開口を有する中央凹入部を備えていること。
【請求項５】
さらに、以下の構成をも備えたことを特徴とする請求項１〜４のいずれか記載の養液栽培用培地の載置台。
（７）前記本体の前面には、前記養液排出溝のそれぞれの前端と連続し、養液排出溝よりも大きな勾配で下り傾斜させ、底面まで開通させた前面溝が形成されていること。
【請求項６】
さらに、以下の構成をも備えたことを特徴とする請求項１〜５のいずれか記載の養液栽培用培地の載置台。
（８）前記本体の前面側に、上面から底面まで貫通する貫通孔を備えさせること。
【請求項７】
さらに、以下の構成をも備えたことを特徴とする請求項１〜６のいずれか記載の養液栽培用培地の載置台。
（９）前記本体の長手方向の一端には載置面と上面が一致し、下向き開口となる前後方向溝を備えた第１の連結突起が形成されると共に、他端には前記第１の連結突起の前後方向溝に嵌り込む高さまで突設された上向き突条を備えた第２の連結突起が形成されていること。
【手続補正２】
【補正対象書類名】明細書
【補正対象項目名】全文
【補正方法】変更
【補正の内容】
【発明の詳細な説明】
【技術分野】
【０００１】
本発明は、木質チップ、椰子殻、ロックウールなどをスラブ状にした養液栽培用培地の載置台に関する。
【背景技術】
【０００２】
従来より、ロックウールスラブなどの養液栽培用培地を用いた水耕栽培方法が知られている（例えば、特許文献１，２）。
【０００３】
特許文献１は、図５（Ａ）に示す様に、育苗用ポットを嵌入させた養液栽培用培地を発泡スチロール製の載置台に載せ、この載置台の中央に冷暖用パイプを敷設して温度調節を行えるようにしてある。
【０００４】
特許文献２は、図５（Ｂ）に示す様に、発泡スチロール製の載置台の底面に形成された受溝にベッド受承パイプを嵌合させて架台上に支持する方法を提案している。
【先行技術文献】
【特許文献】
【０００５】
【特許文献１】特開平６−２１７６５５（図３）
【特許文献２】実公平７−３３６３８（図２）
【発明の概要】
【発明が解決しようとする課題】
【０００６】
特許文献１は、地面に設置する方法のため風通しが悪いという問題がある。これに対し、特許文献２は、パイプ架台上に培地を載せることで風通しはよいものの、培地から流出した養液が載置台上に滞留してしまうという問題がある。
【０００７】
培地からの流出液の排出に関しては、特許文献１は載置台の上面を傾斜させて水はけを改善しているが、載置台上面を傾斜させたことで培地が滑り落ちない様、載置台を断面受け皿状としている。この結果、培地からの流出液は載置台の傾斜面の下方に滞留することとなり、水はけの改善は十分とはいえない。
【０００８】
そこで、本発明は、（Ａ）木質チップ、椰子殻、ロックウールなどの培地素材をスラブ状にした養液栽培用培地を用いた水耕栽培において、水はけ良好な載置台を提供することを主目的とし、さらに、（Ｂ）温度調節のためのパイプの敷設が容易な載置台を提供すること、（Ｃ）パイプ架台等への設置も容易な載置台を提供すること、（Ｄ）灌水のためのパイプの設置が容易な載置台を提供すること、をさらなる目的とする。
【課題を解決するための手段】
【０００９】
上記（Ａ）の目的を達成するためになされた本発明の養液栽培用培地の載置台は、スラブ状の養液栽培用培地を載置する載置面を上面とする発泡スチロール製の本体の前後方向に伸びる養液排出溝を適宜間隔で長手方向の複数箇所に形成した載置台であって、以下の構成を備えていることを特徴とする。
（１）前記載置面は、中央部から前方及び後方のそれぞれに向かって下り傾斜となる屋根状の傾斜面で構成されていること。
（２）前記養液排出溝は、前記載置面の後端部から前端部まで達し、その溝底が後方から前方に向かって下り傾斜となる様に前記本体の上面からの凹入部として形成されていること。
【００１０】
本発明の養液栽培用培地の載置台によれば、載置面を屋根状としたので、スラブ状の養液栽培用培地の中心が屋根の頂上部分に位置する様に載置することにより、スラブ状の養液栽培用培地を滑ることなく載置することができる。そして、スラブ状培地を包んでいる被覆シートの後端面及び前端面を養液排出溝の位置で切り裂いて養液の流出口を形成してやれば、培地から流出する養液は、養液排出溝へと落ち込む。このとき、後端面から落ちた養液も前端面から落ちた養液も本体の前方へと排出される。また、被覆シートの切り裂かれていない部分は載置面の傾斜によって前端側又は後端側に下がっているので、培地内の余分な養液は、被覆シートの内部で前端側又は後端側に流れ、切り裂いた部分へと集まり、養液排出溝へと流出する。この結果、本発明によれば、スラブ状培地を水はけ良好な状態で本体から滑り落ちることなく載置でき、養液が意図せぬ場所へと流出してしまうこともない。なお、屋根状の載置面は直線的なテーパ面に限られず、湾曲面によって構成されていてもよい。
【００１１】
ここで、本発明の養液栽培用培地の載置台は、さらに、以下の構成をも備えることにより、上記（Ａ）に加えて（Ｂ）の目的をも達成することができる。
（３）前記本体は、前記載置面からの凹入部として、その溝底がほぼ水平で長手方向に伸び、両端が開放されたパイプ敷設溝を備えていること。
（４）前記養液排出溝は、その溝底が、前記パイプ敷設溝と交差する位置では当該パイプ敷設溝の溝底よりも下側となる様に、前記パイプ敷設溝を部分的に分断する様に形成されていること。
【００１２】
（１），（２）の構成に加えて、（３），（４）の構成をも備えることで、本発明の養液栽培用培地の載置台は、スラブ状培地の下にパイプを敷設することができる。この結果、当該パイプに温水又は冷水を流すことにより、加温・冷却といった培地の温度調節をすることができる。このとき、養液排出用溝はパイプ敷設溝との交差位置の溝底が下方に位置するので、パイプの敷設によって養液の排出が妨げられることもない。
【００１３】
また、これら本発明の養液栽培用培地の載置台は、さらに、以下の構成をも備えることにより、上記（Ａ）に加えて（Ｃ）の目的をも達成することができる。
（５）前記本体の底面には、底面からの凹入部として、長手方向に沿って上面がほぼ水平となり、両端が開放されていて、前後方向に離して少なくとも二条形成されたパイプ嵌合溝が備えられていること。
【００１４】
（５）の構成をも備えることにより、本体の底面側の凹入部に架台上部の支持パイプを嵌め込むことにより、地面から上がった位置に載置台を設置し、風通しのよい環境で栽培を行うことができる。
【００１５】
さらに、これら本発明の養液栽培用培地の載置台は、さらに、以下の構成をも備えることにより、上記（Ａ）に加えて（Ｄ）の目的をも達成することができる。
（６）前記本体の底面の中央部を長手方向に沿って伸び、両端が開放されると共に、長手方向所定位置で前面又は後面に開放する前後方向開口を有する中央凹入部を備えていること。
【００１６】
（６）の構成をも備えることにより、中央凹入部にＣＯ２供給用のダクトなどを収納したり、灌水用パイプを敷設することができる。灌水用パイプを敷設する場合、前後方向開口から灌水チューブを引き出し、上方に持ち上げて灌水を行うことができる。こうして灌水した養液は、余分な分はスラブ状培地内を前後方向へ流れ、養液排出溝に落ち込んで本体の前方へと排出される。
【００１７】
なお、これら本発明の養液栽培用培地の載置台は、さらに、以下の構成をも備えるとよい。
（７）前記本体の前面には、前記養液排出溝のそれぞれの前端と連続し、養液排出溝よりも大きな勾配で下り傾斜させ、底面まで開通させた前面溝が形成されていること。
【００１８】
この（７）の構成をも備えることにより、養液排出溝によって前方へと導かれた養液は、前面溝に沿って本体の前側で下方へと落下する。この落下位置に樋などを設置することにより、余分な養液を排液タンク等へと移動させることができる。
【００１９】
また、これら本発明の養液栽培用培地の載置台は、さらに、以下の構成をも備えるとよい。
（８）前記本体の前面側に、上面から底面まで貫通する貫通孔を備えさせること。
【００２０】
試運転時に灌水動作が正常に行われているか否かを確認する際、この貫通孔に灌水用チューブの先端を差し込む様にする。この貫通孔は養液排出溝の養液排出側である前面側に設けてあるので、灌水用チューブから吐出された養液は排出液を集合させる樋へと流し込むことができ、試運転の際に圃場内を水浸しにすることがない。
【００２１】
加えて、これら本発明の養液栽培用培地の載置台は、さらに、以下の構成をも備えるとよい。
（９）前記本体の長手方向の一端には載置面と上面が一致し、下向き開口となる前後方向溝を備えた第１の連結突起が形成されると共に、他端には前記第１の連結突起の前後方向溝に嵌り込む高さまで突設された上向き突条を備えた第２の連結突起が形成されていること。
【００２２】
本発明の載置台を複数準備し、互いに第１の連結突起と第２の連結突起とを嵌め合う様にすることで、長手方向の長さを圃場に合わせたものとすることができる。
【発明の効果】
【００２３】
本発明によれば、木質チップ、椰子殻、ロックウールなどの培地素材をスラブ状にした養液栽培用培地を用いた水耕栽培において、水はけ良好な栽培環境を提供することができる。
【図面の簡単な説明】
【００２４】
【図１】実施例１の養液栽培用培地の載置台を示し、（Ａ）は架台を使用する場合の断面図、（Ｂ）は架台を使用しない場合の断面図である。
【図２】実施例１の養液栽培用培地の載置台を示し、（Ａ）は平面図、（Ｂ）は正面図、（Ｃ）はａ−ａ断面図、（Ｄ）はｂ−ｂ断面図、（Ｅ）はｃ−ｃ断面図である。
【図３】実施例１の養液栽培用培地の載置台を示し、（Ａ）は平面図、（Ｂ）は正面図、（Ｃ）は背面図、（Ｄ）は底面図、（Ｅ）は左側面図、（Ｆ）は右側面図である。
【図４】実施例１の養液栽培用培地の載置台を示し、（Ａ）は正面図、（Ｂ）は背面図である。
【図５】従来技術の説明図である。
【発明を実施するための形態】
【００２５】
以下に、本発明の養液栽培用培地の載置台の実施形態を実施例に基づいて説明する。
【実施例１】
【００２６】
養液栽培用培地の載置台１は、図１〜図４に示す様に、スラブ状の養液栽培用培地２を載置する載置面１１を上面とする発泡スチロール製の本体１０からなる。載置面１１は、この本体１０の上面の中央部から前方及び後方のそれぞれに向かって下り傾斜となる屋根状の傾斜面で構成されている。なお、図４において、符号３は、スラブ状培地２の上に適宜間隔にて載置されるブロック状培地であって、ここに苗が植え付けられる。
【００２７】
また、本体１０には、載置面１１から凹入する様に、長手方向１００ｍｍ間隔で、多数の養液養液排出溝１２，１２，…が形成されている。これら各養液排出溝１２は、それぞれの溝底１２ａが、本体１０の後端側から前端側に向かって下り傾斜となる様に形成されている。また、各養液排出溝１２の後端は、本体１０の後端角部１０ａと溝底１２ａとをつなぐ傾斜面１２ｂで塞がれている。一方、各養液排出溝１２の前端には、より勾配の大きい下り傾斜の前面溝１３が本体１０の前面側から凹入する様に連続して形成されている。
【００２８】
さらに、本体１０には、載置面１１から凹入する様に、前端から約１／４後方側の位置にその溝底２１ａがほぼ水平で長手方向に伸び、両端が開放された第１のパイプ敷設溝２１が形成されると共に、同様に、後端から約１／４前方側の位置にその溝底２２ａがほぼ水平で長手方向に伸び、両端が開放された第２のパイプ敷設溝２２が形成されている。
【００２９】
これら第１，第２のパイプ敷設溝２１，２２は、養液排出溝１２，１２，…によって部分的に分断されている。即ち、養液排出溝１２，１２，…は、それぞれの溝底１２ａが、パイプ敷設溝２１，２２と交差する位置では当該パイプ敷設溝２１，２２の溝底２１ａ，２２ａよりも下側となる様に深く凹入しているのである。なお、パイプ敷設溝２１，２２は、図１（Ａ），（Ｂ）に示す様に、培地２の底面に接するか接しないか程度にパイプ９１，９２を敷設することができる深さのＵ溝となっている。また、養液排出溝１２及び前面溝１３は、それぞれ底１２ａ，１３ａがＶ字となっている。
【００３０】
本体１０の底面は、前端から約１／４の位置を中心とする直方体状の前側脚部３１と、後端を本体１０の後端と面一とする直方体状の後側脚部３２とが、互いに２００ｍｍの間隔をあけて備えられている。また、前側脚部３１と後側脚部３２の間には約７５ｍｍの間隔がとられている。この結果、前側脚部３１と後側脚部３２の間に長手方向に開通した中央凹入部４１が形成された状態となっている。また、この中央凹入部４１の前面側及び後面側は、脚部の設置間隔に対応する長さの開放部４２，４３となっている。
【００３１】
前側脚部３１の底面は前後方向中央に上方に向かって凹入する前側脚部底面溝３１ａが形成されている。同じく、後側脚部３２の底面も前後方向中央に上方に向かって凹入する後側脚部底面溝３２ａが形成されている。これら前側脚部底面溝３１ａ及び後側脚部底面溝３２ａの上面高さは全て同じとなっている。これによって本体１０の底面に、前後方向に離して長手方向に伸びる二条のパイプ嵌合溝が形成された状態となっている。
【００３２】
また、本体１０の前面側に、養液排出溝１２同士の中間になる長手方向位置に、前面溝１３の後端と後端がほぼ一致する貫通孔５１，５１，…が、上面から底面まで貫通する様に形成されている。
【００３３】
さらに、本体１０の長手方向の一端には載置面１１と上面が一致し、下向き開口となる前後方向溝６１ａを備えた第１の連結突起６１が形成されると共に、他端には第１の連結突起６１の前後方向溝６１ａに嵌り込む高さまで突設された上向き突条６２ａを備えた第２の連結突起６２が形成されている。この連結突起６１の前後方向溝６１ａは養液排出溝１２とほぼ同じ傾斜を有する溝となっている。
【００３４】
この載置台１は、複数個を準備し、互いに第１の連結突起６１と第２の連結突起６２とを嵌め合う様にすることで、長手方向の長さを圃場に合わせたものとすることができる。
【００３５】
養液栽培用培地の載置台１は、図１（Ａ）に示す様に、前側脚部底面溝３１ａ及び後側脚部底面溝３２ａに嵌合する間隔の支持パイプ７１，７２を備えた架台７０を用いることにより、地面から高さをあけて位置で風通しのよい環境にして栽培を行うことができる。また、図１（Ｂ）に示す様に、地面に設置する場合は、後側脚部底面溝３２ａに灌水用パイプ８０を通し、例えば後方の開放部４３を経由して上方に灌水チューブを引き出して灌水を行う様に構成することもできる。また、中央凹入部４１には、ＣＯ２供給用のダクトなどを収納することもできるし、この部分に灌水用パイプ８０を敷設することもできる。
【００３６】
培地２は、その前後方向中央を、載置面１１の前後方向中央と中央と一致させる様に載置面１１の上に載置して用いる。この際、第１，第２のパイプ敷設溝２１，２２には、温水又は冷水を循環させる温度調節用パイプ９１，９２を敷設することができる。この温度調節用パイプ９１，９２は、パイプ上面が載置面１１とほぼ面一となる様に敷設できるから、培地２の温度調節を的確に実行することができる。
【００３７】
培地２としては、木質チップ、椰子殻、ロックウールなどをスラブ状にし、被覆シートを外側に巻いたものを用いるとよい。このスラブ状の培地２は、載置面１１を屋根状としたので、被覆シートが巻いてあっても、前後方向の重量バランスが取れていて滑り落ちることはない。そして、スラブ状培地を包んでいる被覆シートの後端面及び前端面を養液排出溝１２，１２，…の位置（図４の▼印の位置）で切り裂いて養液の流出口を形成してやれば、培地２から流出する養液は、養液排出溝１２へと落ち込む。このとき、培地２の後端面から落ちた養液も前端面から落ちた養液も本体１０の前方へと排出される。また、被覆シートの切り裂かれていない部分は載置面の傾斜によって前端側又は後端側に下がっているので、培地内の余分な養液は、被覆シートの内部で前端側又は後端側に流れ、切り裂いた部分へと集まり、養液排出溝１２，１２，…へと流出する。この結果、実施例の載置台１によれば、スラブ状培地２を水はけ良好な状態で本体１０から滑り落ちることなく載置でき、養液が意図せぬ場所へと流出してしまうこともない。
【００３８】
また、図１（Ａ），（Ｂ）に示す様に、本体１０の前側脚部３１の直前辺りに長手方向に沿う様に樋１００を設置することにより、前面溝１３から流れ出す余分な養液を排液タンク等へと移動させることができる。
【００３９】
さらに、本体１０の前面側に貫通孔５１，５１，…を設けたので、図１（Ｂ）に示す様に、この貫通孔５１に灌水用チューブの先端を差し込む様にして、試運転の際に灌水用チューブから吐出された養液を樋１００へと流し込むことができ、試運転の際に圃場内を水浸しにすることもない。
【００４０】
以上説明した様に、本実施例によれば、（Ａ）木質チップ、椰子殻、ロックウールなどの培地素材をスラブ状にした養液栽培用培地を用いた水耕栽培において、水はけ良好な載置台を提供することができると共に、（Ｂ）温度調節のためのパイプの敷設が容易な載置台を提供すること、（Ｃ）パイプ架台等への設置も容易な載置台を提供すること、及び（Ｄ）灌水のためのパイプの設置が容易な載置台を提供することができる。
【００４１】
以上、本発明の一実施例について説明したが、本発明はこの実施例に限られるものではなく、その要旨を逸脱しない範囲内においてさらに種々の形態を採用することができることはもちろんである。
【産業上の利用可能性】
【００４２】
水耕栽培においてスラブ状培地の載置台として用いることができる。
【符号の説明】
【００４３】
１・・・載置台、２・・・スラブ状培地、１０・・・本体、１１・・・載置面、１２・・・養液養液排出溝、１３・・・前面溝、２１・・・第１のパイプ敷設溝、２２・・・第２のパイプ敷設溝、３１・・・前側脚部、３１ａ・・・前側脚部底面溝、３２・・・後側脚部、３２ａ・・・後側脚部底面溝、４１・・・中央凹入部、４２，４３・・・開放部、５１・・・貫通孔、６１・・・第１の連結突起、６１ａ・・・前後方向溝、６２・・・第２の連結突起、６２ａ・・・上向き突条、７０・・・架台、７１，７２・・・支持パイプ、８０・・・灌水用パイプ、９１，９２・・・温度調節用パイプ、１００・・・樋。